(57)【要約】【課題】サービスを提供する店舗に関してユーザが求めている情報を提供する。【解決手段】メインサーバ装置１のＲＡＭ１２は、機能的に、日本地図の地図情報を格納する地図記憶部１２１と、サービスを提供する店舗毎に、各店舗に対する利用者の評価に関する情報である店舗評価情報及び店舗名称情報を、各店舗の所在地を示す店舗位置情報と対応付けて格納する店舗記憶部１２２と、を備え、ＣＰＵ１１は、機能的に、携帯電話機２の位置情報である端末位置情報を取得する位置取得部１１１と、端末位置情報に対応する位置が含まれる市町村内に所在地が存在している店舗の店舗評価情報及び店舗名称情報を、地図情報に基づいて店舗記憶部１２２から抽出する店舗抽出部１１４と、抽出された店舗評価情報及び店舗名称情報を携帯電話機２に送信する情報送信部１１６と、を備えている。【選択図】図４
2008040922.tif 000002
【特許請求の範囲】
【請求項１】
ＧＰＳ機能を有する移動体通信端末装置と通信可能に接続されたサーバ装置であって、
地図情報を格納する地図記憶手段と、
サービスを提供する店舗毎に、各店舗に対する利用者の評価に関する情報である店舗評価情報及び店舗名称情報を、各店舗の所在地を示す店舗位置情報と対応付けて格納する店舗記憶手段と、
１の移動体通信端末装置から、前記ＧＰＳ機能によって取得された、当該１の移動体通信端末装置の位置情報である端末位置情報を取得する位置取得手段と、
前記端末位置情報に対応する位置から予め設定された所定範囲内に、前記店舗位置情報に対応する所在地が存在している店舗の店舗評価情報及び店舗名称情報を、前記地図情報に基づいて前記店舗記憶手段から抽出する店舗抽出手段と、
抽出された店舗評価情報及び店舗名称情報を、前記１の移動体通信端末装置に送信する情報送信手段と、
を備えることを特徴とするサーバ装置。
【請求項２】
前記店舗抽出手段は、前記端末位置情報に対応する位置から予め設定された所定範囲内に、前記店舗位置情報に対応する所在地が存在している店舗の店舗位置情報を、前記地図情報に基づいて前記店舗記憶手段から抽出し、
前記情報送信手段は、抽出された店舗位置情報を、前記１の移動体通信端末装置に送信することを特徴とする請求項１に記載のサーバ装置。
【請求項３】
前記店舗抽出手段は、前記端末位置情報に対応する位置が含まれる地域内に、前記店舗位置情報に対応する所在地が存在している店舗の店舗評価情報及び店舗名称情報を、前記地図情報に基づいて前記店舗記憶手段から抽出することを特徴とする請求項１又は請求項２に記載のサーバ装置。
【請求項４】
前記店舗抽出手段は、前記端末位置情報に対応する位置から予め設定された所定距離内に、前記店舗位置情報に対応する所在地が存在している店舗の店舗評価情報及び店舗名称情報を、前記地図情報に基づいて前記店舗記憶手段から抽出することを特徴とする請求項１又は請求項２に記載のサーバ装置。
【請求項５】
前記１の移動体通信端末装置の移動方向及び移動速度の少なくとも一方を求める移動算出手段と、
前記１の移動体通信端末装置の移動方向及び移動速度の少なくとも一方に基づいて、前記店舗抽出手段が抽出する対象を規定する前記所定距離を求める距離設定手段と、
を備え、
前記位置取得手段は、予め設定された時間毎に端末位置情報を取得し、
前記移動算出手段は、前記位置取得手段によって取得された複数の端末位置情報に基づいて前記１の移動体通信端末装置の移動方向及び移動速度の少なくとも一方を求め、
前記店舗抽出手段は、前記距離設定手段によって設定された所定距離内に、前記店舗位置情報に対応する所在地が存在している店舗の店舗評価情報及び店舗名称情報を、前記地図情報に基づいて前記店舗記憶手段から抽出することを特徴とする請求項４に記載のサーバ装置。
【請求項６】
前記移動体通信端末装置を介して、外部からの操作入力を受け付け、受け付けられた操作入力に基づいて店舗評価情報を生成し、生成された店舗評価情報を前記店舗記憶手段に格納する店舗情報生成手段を備えることを特徴とする請求項１〜請求項５のいずれかに記載のサーバ装置。
【請求項７】
前記店舗情報生成手段は、前記移動体通信端末装置を介して、前記店舗抽出手段によって抽出された店舗の中から１の店舗を選択する選択入力を受け付けると共に、前記１の店舗を利用した経験に基づく肯定的な情報である投稿情報を受け付け、受け付けられた投稿情報に基づいて、前記店舗評価情報を生成することを特徴とする請求項６に記載のサーバ装置。
【請求項８】
前記投稿情報の件数を、店舗毎に集計する集計手段を備え、
前記店舗情報生成手段は、前記店舗抽出手段によって抽出された店舗について、前記投稿情報の件数に基づいてランキング情報を生成し、生成されたランキング情報を前記店舗評価情報として前記店舗記憶手段に格納することを特徴とする請求項７に記載のサーバ装置。
【請求項９】
前記店舗記憶手段に格納された店舗名称情報に対応する店舗の案内情報を格納する店舗案内サーバ装置と通信可能に接続され、
前記移動体通信端末装置を介して、前記店舗抽出手段によって抽出された店舗の中から１の店舗を選択する選択入力、及び、店舗を案内する案内情報を送信する旨の指示入力を受け付ける店舗案内受付手段を備え、
前記店舗記憶手段は、前記店舗案内サーバ装置に格納された案内情報にリンクするための情報であるリンク情報を店舗毎に格納し、
前記情報送信手段は、前記店舗案内受付手段によって受け付けられた前記１の店舗に対応するリンク情報を前記店舗記憶手段から読み出すと共に、前記リンク情報に対応する前記店舗案内サーバ装置から前記１の店舗に対応する案内情報を読み出して、読み出された前記１の店舗に対応する案内情報を前記１の移動体通信端末装置に送信することを特徴とする請求項１〜請求項８のいずれかに記載のサーバ装置。
【請求項１０】
位置情報を取得する位置情報取得手段と、当該位置情報を送信する送信手段と、該送信手段が送信した位置情報に関する口コミ情報を取得する口コミ情報取得手段と、を有することを特徴とする通信端末。
【発明の詳細な説明】
【技術分野】
【０００１】
本発明は、ＧＰＳ機能を有する移動体通信端末装置と通信可能に接続されたサーバ装置と、当該サーバ装置にアクセス可能な通信端末に関するものである。特に、ＧＰＳ機能を有する携帯電話機及び店舗の案内情報を格納する店舗案内サーバ装置とインターネットを介して通信可能に接続されたサーバ装置や携帯電話機のような通信端末に関するものである。
【背景技術】
【０００２】
近年、ＧＰＳ機能を有すると共に、インターネットを介してサーバ装置と通信可能に構成された携帯電話機が普及している。このような携帯電話機では、ＧＰＳ機能により位置情報が取得され、取得された位置情報を、インターネットを介して、サーバ装置に送信して、サーバ装置から種々のサービスの提供を受ける技術が提案されている。
【０００３】
例えば、携帯電話機で取得された位置情報に対応する位置から所定範囲内にある飲食店等の店舗の詳細情報を携帯電話機に提供する通信システムが開示されている（特許文献１参照）。
【特許文献１】特開平１１−１８７４６９号公報
【発明の開示】
【発明が解決しようとする課題】
【０００４】
このシステムによれば、携帯電話機で取得された位置情報に対応する位置から所定範囲内にある店舗に関して種々の情報を取得することができるため利便性が向上する。しかしながら、上記システムによって提供される情報は、飲食店等の店舗経営者側からの情報であるため、その情報はユーザが求めている情報とは一致しない場合がある。例えば、店舗経営者側は、営業活動の一環として情報を提供するものであるから、あくまで、店舗経営者側にとって有利な情報に限定され、一方的な情報である場合がある。
【０００５】
本発明は、上記課題に鑑みてなされたものであって、サービスを提供する店舗に関してユーザが求めている情報を提供することの可能なサーバ装置を提供することを目的としている。
【課題を解決するための手段】
【０００６】
上記目的を達成するために請求項１に記載のサーバ装置は、ＧＰＳ機能を有する移動体通信端末装置と通信可能に接続されたサーバ装置であって、地図情報を格納する地図記憶手段と、サービスを提供する店舗毎に、各店舗に対する利用者の評価に関する情報である店舗評価情報及び店舗名称情報を、各店舗の所在地を示す店舗位置情報と対応付けて格納する店舗記憶手段と、１の移動体通信端末装置から、前記ＧＰＳ機能によって取得された、当該１の移動体通信端末装置の位置情報である端末位置情報を取得する位置取得手段と、前記端末位置情報に対応する位置から予め設定された所定範囲内に、前記店舗位置情報に対応する所在地が存在している店舗の店舗評価情報及び店舗名称情報を、前記地図情報に基づいて前記店舗記憶手段から抽出する店舗抽出手段と、抽出された店舗評価情報及び店舗名称情報を、前記１の移動体通信端末装置に送信する情報送信手段と、を備えることを特徴としている。
【０００７】
請求項２に記載のサーバ装置は、請求項１に記載のサーバ装置であって、前記店舗抽出手段が、前記端末位置情報に対応する位置から予め設定された所定範囲内に、前記店舗位置情報に対応する所在地が存在している店舗の店舗位置情報を、前記地図情報に基づいて前記店舗記憶手段から抽出し、前記情報送信手段が、抽出された店舗位置情報を、前記１の移動体通信端末装置に送信することを特徴としている。
【０００８】
請求項３に記載のサーバ装置は、請求項１又は請求項２に記載のサーバ装置であって、前記店舗抽出手段が、前記端末位置情報に対応する位置が含まれる地域内に、前記店舗位置情報に対応する所在地が存在している店舗の店舗評価情報及び店舗名称情報を、前記地図情報に基づいて前記店舗記憶手段から抽出することを特徴としている。
【０００９】
請求項４に記載のサーバ装置は、請求項１又は請求項２に記載のサーバ装置であって、前記店舗抽出手段が、前記端末位置情報に対応する位置から予め設定された所定距離内に、前記店舗位置情報に対応する所在地が存在している店舗の店舗評価情報及び店舗名称情報を、前記地図情報に基づいて前記店舗記憶手段から抽出することを特徴としている。
【００１０】
請求項５に記載のサーバ装置は、請求項４に記載のサーバ装置であって、前記１の移動体通信端末装置の移動方向及び移動速度の少なくとも一方を求める移動算出手段と、前記１の移動体通信端末装置の移動方向及び移動速度の少なくとも一方に基づいて、前記店舗抽出手段が抽出する対象を規定する前記所定距離を求める距離設定手段と、を備え、前記位置取得手段が、予め設定された時間毎に端末位置情報を取得し、前記移動算出手段が、前記位置取得手段によって取得された複数の端末位置情報に基づいて前記１の移動体通信端末装置の移動方向及び移動速度の少なくとも一方を求め、前記店舗抽出手段が、前記距離設定手段によって設定された所定距離内に、前記店舗位置情報に対応する所在地が存在している店舗の店舗評価情報及び店舗名称情報を、前記地図情報に基づいて前記店舗記憶手段から抽出することを特徴としている。
【００１１】
請求項６に記載のサーバ装置は、請求項１〜請求項５のいずれかに記載のサーバ装置であって、前記移動体通信端末装置を介して、外部からの操作入力を受け付け、受け付けられた操作入力に基づいて店舗評価情報を生成し、生成された店舗評価情報を前記店舗記憶手段に格納する店舗情報生成手段を備えることを特徴としている。
【００１２】
請求項７に記載のサーバ装置は、請求項６に記載のサーバ装置であって、前記店舗情報生成手段が、前記移動体通信端末装置を介して、前記店舗抽出手段によって抽出された店舗の中から１の店舗を選択する選択入力を受け付けると共に、前記１の店舗を利用した経験に基づく肯定的な情報である投稿情報を受け付け、受け付けられた投稿情報に基づいて、前記店舗評価情報を生成することを特徴としている。
【００１３】
請求項８に記載のサーバ装置は、請求項７に記載のサーバ装置であって、前記投稿情報の件数を、店舗毎に集計する集計手段を備え、前記店舗情報生成手段が、前記店舗抽出手段によって抽出された店舗について、前記投稿情報の件数に基づいてランキング情報を生成し、生成されたランキング情報を前記店舗評価情報として前記店舗記憶手段に格納することを特徴としている。
【００１４】
請求項９に記載の画像読取装置は、請求項１〜請求項８のいずれかに記載のサーバ装置であって、前記店舗記憶手段に格納された店舗名称情報に対応する店舗の案内情報を格納する店舗案内サーバ装置と通信可能に接続され、前記移動体通信端末装置を介して、前記店舗抽出手段によって抽出された店舗の中から１の店舗を選択する選択入力、及び、店舗を案内する案内情報を送信する旨の指示入力を受け付ける店舗案内受付手段を備え、前記店舗記憶手段が、前記店舗案内サーバ装置に格納された案内情報にリンクするための情報であるリンク情報を店舗毎に格納し、前記情報送信手段が、前記店舗案内受付手段によって受け付けられた前記１の店舗に対応するリンク情報を前記店舗記憶手段から読み出すと共に、前記リンク情報に対応する前記店舗案内サーバ装置から前記１の店舗に対応する案内情報を読み出して、読み出された前記１の店舗に対応する案内情報を前記１の移動体通信端末装置に送信することを特徴としている。
【００１５】
請求項１０に記載の通信端末は、位置情報を取得する位置情報取得手段と、当該位置情報を送信する送信手段と、該送信手段が送信した位置情報に関する口コミ情報を取得する口コミ情報取得手段と、を有することを特徴としている。
【発明の効果】
【００１６】
請求項１に記載のサーバ装置によれば、１の移動体通信端末装置の位置情報である端末位置情報に対応する位置から予め設定された所定範囲内に、所在地が存在している店舗に対する利用者の評価に関する情報である店舗評価情報及び店舗名称情報が、地図情報に基づいて抽出され、抽出された店舗評価情報及び店舗名称情報が、前記１の移動体通信端末装置に送信されるため、サービスを提供する店舗に関してユーザが求めている情報を提供することができる。
【００１７】
すなわち、サービスを提供する店舗から発信される情報は、利用者にとって偏った情報である場合があるため、利用者の側から発信される店舗の評価に関する情報である店舗評価情報が提供されるので、サービスを提供する店舗に関してユーザが求めている情報を提供することができるのである。また、ユーザの携帯する移動体通信端末装置から取得された現在位置から所定範囲内に有る店舗についての店舗評価情報が提供されるので、サービスを提供する店舗に関してユーザが求めている情報を提供することができるのである。
【００１８】
請求項２に記載のサーバ装置によれば、１の移動体通信端末装置の位置情報である端末位置情報に対応する位置から予め設定された所定範囲内に、所在地が存在している店舗に対する店舗位置情報が、地図情報に基づいて抽出され、抽出された店舗位置情報が、前記１の移動体通信端末装置に送信されるため、サービスを提供する店舗に関してユーザが求めている情報を更に的確に提供することができる。
【００１９】
請求項３に記載のサーバ装置によれば、１の移動体通信端末装置の位置情報である端末位置情報に対応する位置が含まれる地域内に、所在地が存在している店舗の店舗評価情報及び店舗名称情報が、地図情報に基づいて抽出されて提供されるため、サービスを提供する店舗に関してユーザが求めている情報を更に的確に提供することができる。
【００２０】
請求項４に記載のサーバ装置によれば、１の移動体通信端末装置の位置情報である端末位置情報に対応する位置から予め設定された所定距離内に、所在地が存在している店舗の店舗評価情報及び店舗名称情報が、地図情報に基づいて抽出されて提供されるため、サービスを提供する店舗に関してユーザが求めている情報を更に的確に提供することができる。
【００２１】
請求項５に記載のサーバ装置によれば、予め設定された時間毎に端末位置情報が取得され、取得された複数の端末位置情報に基づいて１の移動体通信端末装置の移動方向及び移動速度の少なくとも一方が求められる。そして、前記１の移動体通信端末装置の移動方向及び移動速度の少なくとも一方に基づいて、抽出する対象を規定する所定距離が求められる。更に、設定された所定距離内に、所在地が存在している店舗の店舗評価情報及び店舗名称情報が、地図情報に基づいて抽出されて提供されるため、サービスを提供する店舗に関してユーザが求めている情報を更に的確に提供することができる。
【００２２】
すなわち、例えば、１の移動体通信端末装置の移動方向については、移動速度が速い程、抽出する対象を規定する所定距離を大きく設定すると、ユーザが所定時間（例えば、１０分）以内に到達可能な店舗に関する店舗評価情報及び店舗名称情報を提供することが可能となるため、サービスを提供する店舗に関してユーザが求めている情報を更に的確に提供することができるのである。
【００２３】
請求項６に記載のサーバ装置によれば、移動体通信端末装置を介して、外部からの操作入力が受け付けられ、受け付けられた操作入力に基づいて店舗評価情報が生成されるため、店舗評価情報が逐次更新されるので、サービスを提供する店舗に関してユーザが求めている情報を更に的確に提供することができる。
【００２４】
請求項７に記載のサーバ装置によれば、移動体通信端末装置を介して、抽出された店舗の中から１の店舗を選択する選択入力が受け付けられると共に、選択された店舗を利用した経験に基づく肯定的な情報である投稿情報を受け付けられ、受け付けられた投稿情報に基づいて、店舗評価情報が生成されるため、容易に且つ的確に店舗評価情報が生成されるので、サービスを提供する店舗に関してユーザが求めている情報を更に的確に提供することができる。
【００２５】
請求項８に記載のサーバ装置によれば、店舗を利用した経験に基づく肯定的な情報である投稿情報の件数に基づいてランキング情報が生成され、生成されたランキング情報が提供されるため、サービスを提供する店舗に関してユーザが求めている情報を更に的確に提供することができる。
【００２６】
請求項９に記載のサーバ装置によれば、１の店舗に対応するリンク情報が読み出されると共に、リンク情報に対応する案内情報が読み出されて、読み出された案内情報が移動体通信端末装置に送信されるため、サービスを提供する店舗に関してユーザが求めている情報を更に的確に提供することができる。
【００２７】
請求項１０に記載の通信端末によれば、端末の現在位置にかかわる口コミ情報を容易に取得することができる。
【発明を実施するための最良の形態】
【００２８】
以下、本発明に係るサーバ装置の一例について図面を参照して説明する。図１は、本発明に係るサーバ装置（以下、メインサーバ装置という）の接続状態の一例を示す構成図である。メインサーバ装置１は、インターネットを介して、複数の（ここでは３台の）携帯電話機２及び複数の（ここでは３台の）店舗案内サーバ装置３と通信可能に接続されている。
【００２９】
携帯電話機２は、ユーザからの操作入力を受け付けて、インターネットを介して、店舗を利用した経験に基づく肯定的な情報である投稿情報をメインサーバ装置１に送信するものである。また、携帯電話機２は、ＧＰＳ（Ｇｌｏｂａｌ  Ｐｏｓｉｔｉｏｎｉｎｇ  Ｓｙｓｔｅｍ）機能を備え、予め設定された所定時間（例えば、５秒）毎にＧＰＳ機能により取得した位置情報を、インターネットを介して、メインサーバ装置１に送信するものである。更に、携帯電話機２は、インターネットを介して、メインサーバ装置１から店舗評価情報、店舗名称情報、及び、店舗位置情報等を受信し、ユーザに対して視認可能に表示するものである。
【００３０】
メインサーバ装置１は、インターネットを介して、携帯電話機２から投稿情報を受信して、店舗に対する利用者の評価に関する情報である店舗評価情報を生成するものである。また、メインサーバ装置１は、インターネットを介して、携帯電話機２から位置情報を受信して、その位置情報から予め設定された所定範囲内に所在地が存在している店舗の店舗評価情報、店舗名称情報、及び、店舗位置情報を携帯電話機２へ送信するものである。
【００３１】
店舗案内サーバ装置３は、店舗の案内情報を格納するものであって、インターネットを介して、メインサーバ装置１からの要求に応じて、店舗の案内情報をメインサーバ装置１に送信するものである。
【００３２】
図２は、メインサーバ装置１及び店舗案内サーバ装置３の構成の一例を示す構成図である。メインサーバ装置１と店舗案内サーバ装置３とは、同一の構成を有するため、ここでは、便宜上、メインサーバ装置１について説明する。メインサーバ装置１は、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３、モニタ１４、入力部１５、ＨＤＤ（Ｈａｒｄ  Ｄｉｓｋ  Ｄｒｉｖｅ）１６、通信部１７、及び、バス１８を備えている。
【００３３】
ＣＰＵ１１は、バス１８を介して、ＲＡＭ１２、ＲＯＭ１３、モニタ１４等とデータ伝送可能に構成され、メインサーバ装置１全体の動作を制御するものである。ＲＡＭ１２及びＨＤＤ１６は、後述する地図情報等の種々の情報を格納するものである。ＲＯＭ１３は、ＣＰＵ１１を動作させる制御プログラム等を格納するものである。モニタ１４は、ＬＣＤ（Ｌｉｑｕｉｄ  Ｃｒｙｓｔａｌ  Ｄｉｓｐｌａｙ）等からなり、種々の情報を外部から視認可能に表示するものである。入力部１５は、キーボード、マウス等からなり、外部からの操作入力を受け付けるものである。通信部１７は、インターネットを介して、携帯電話機２及び店舗案内サーバ装置３と通信するものである。
【００３４】
図３は、携帯電話機２の構成の一例を示す構成図である。図２に示すように、携帯電話機２は、入力部２１、ディスプレイ２２、マイクロフォン２３、スピーカ２４、アンテナ２５、及び、サブディスプレイ２６を備えている。
【００３５】
入力部２１は、外部からの操作入力を受け付けるものであって、電源キー、テンキー、方向キー、決定キー、通話キー、及び、クリアキー等を備えている。電源キーは、電源をオンオフする場合及びオフフックする場合（＝通話を終了する場合）に押下されるキーである。テンキーは、数字等の文字を入力する場合の押下されるキーであって、０〜９の数字、「＊」記号、「＃」記号を入力可能に構成されている。通話キーは、オンフックする場合（＝通話を開始する場合）に押下されるキーである。
【００３６】
ディスプレイ２２は、ＬＣＤ（Ｌｉｑｕｉｄ  Ｃｒｙｓｔａｌ  Ｄｉｓｐｌａｙ）等からなり、操作情報、ガイダンス情報、設定情報等の種々の情報を外部から視認可能に表示するものである。マイクロフォン２３は、外部からの音声を受け付けるものであって、通話機能においては、ユーザの声等を受け付けるものである。スピーカ２４は、種々の音声を出力するものであって、通話機能においては、携帯電話機２と中継局を介して通信可能に接続された他の携帯電話機（又は固定電話）等のユーザの発する音声等を出力するものである。
【００３７】
アンテナ２５は、ＧＰＳ衛星からのＧＰＳ信号を受信すると共に、他の携帯電話機（又は固定電話）等から発せられた音声、又は、文字情報等の送信信号を受信するものである。サブディスプレイ２６は、背面側に配設されたＬＣＤ等からなり、時刻情報等を外部から視認可能に表示するものである。
【００３８】
更に、携帯電話機２は、ＧＰＳ通信部２５１、電話通信部２５２、制御部２７、及び、入出力切換回路２８を備えている。ＧＰＳ通信部２５１は、アンテナ２５を介して、ＧＰＳ衛星と通信し、位置情報を取得するものである。電話通信部２５２は、アンテナ２５を介して、他の携帯電話機（又は固定電話）等から発せられた音声、又は、文字情報等の送信信号を受信するものである。
【００３９】
制御部２７は、図略のＣＰＵ、ＲＡＭ、ＲＯＭ等からなり、携帯電話機２全体の動作を制御するものである。ここでは、制御部２７は、電話通信部２５２及びインターネットを介して、メインサーバ装置１と種々の情報を通信するものである。具体的には、制御部２７は、入力部２１を介して、ユーザが店舗を利用した経験に基づく肯定的な情報である投稿情報を受け付けて、受け付けた投稿情報をメインサーバ装置１に対して送信するものである。
【００４０】
また、制御部２７は、ＧＰＳ通信部２５１を介して、所定時間毎（例えば、５秒毎）に位置情報を取得し、取得した位置情報をメインサーバ装置１に対して送信するものである。更に、制御部２７は、メインサーバ装置１から店舗評価情報、店舗名称情報、店舗位置情報、及び、店舗の案内情報等を受信し、ディスプレイ２２を介してユーザに視認可能に表示するものである。
【００４１】
入出力切換回路２８は、マイクロフォン２３、及び、スピーカ２４に対して、時分割的に、マイクロフォン２３からの入力信号を受け付けて制御部２７へ伝送し、制御部２７からの指示に応じてスピーカ２４に対して出力信号を出力するものである。
【００４２】
図４は、本発明に係るメインサーバ装置１のＣＰＵ１１、ＲＡＭ１２の機能構成の一例を示す構成図である。ＣＰＵ１１は、機能的に、位置取得部１１１、移動算出部１１２、距離設定部１１３、店舗抽出部１１４、店舗案内受付部１１５、情報送信部１１６、店舗情報生成部１１７、及び、集計部１１８を備え、ＲＡＭ１２は、機能的に、地図記憶部１２１、及び、店舗記憶部１２２を備えている。
【００４３】
ここでは、ＣＰＵ１１が、ＲＯＭ１３等に予め格納された制御プログラムを読み出して実行することにより、位置取得部１１１、移動算出部１１２、距離設定部１１３、店舗抽出部１１４、店舗案内受付部１１５、情報送信部１１６、店舗情報生成部１１７、及び、集計部１１８等の機能部として機能すると共に、ＲＡＭ１２を、地図記憶部１２１、及び、店舗記憶部１２２等の機能部として機能させるものである。
【００４４】
また、ＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４５】
位置取得部１１１（位置取得手段に相当する）は、携帯電話機２からアクセスがあったか否かを判定し、アクセスがあった場合に、携帯電話機２の位置情報である端末位置情報を所定時間毎（例えば、５秒毎）に取得するものである。
【００４６】
移動算出部１１２（移動算出手段に相当する）は、位置取得部１１１によって取得された端末位置情報に基づいて、携帯電話機２の移動方向及び移動速度を求めるものである。具体的には、例えば、移動算出部１１２は、端末位置情報に基づいて、所定時間（例えば、５秒）の前後の東西方向の移動距離ＬＡ（東向きが正）及び南北方向（北向きが正）の移動距離ＬＢを求め、次の（１）式を用いて移動速度Ｖを算出するものである。
Ｖ＝ＳＱＲＴ（ＬＡ2＋ＬＢ2）×６０×６０／５      （１）
ここで、ＳＱＲＴ（）は、括弧内の数字の１／２乗（＝平方根）を求める演算を示す。
【００４７】
また、移動算出部１１２は、所定時間（例えば、５秒）の前後の東西方向の移動距離ＬＡ及び南北方向の移動距離ＬＢに基づいて移動方向を求めるものである。例えば、移動算出部１１２は、東西方向の移動距離ＬＡが「０」であって、南北方向の移動距離ＬＢが「−１」である場合に、移動方向は南向きであると求めるものである。また、例えば、移動算出部１１２は、東西方向の移動距離ＬＡが「１」であって、南北方向の移動距離ＬＢが「１」である場合に、移動方向は北東の向きであると求めるものである。
【００４８】
距離設定部１１３（距離設定手段に相当する）は、移動算出部１１２によって求められた移動方向及び移動速度に基づいて、店舗抽出部１１４が抽出する対象を規定する所定距離を求めるものである。具体的には、現在位置（＝最新の端末位置情報に対応する位置）を起点とし、移動方向を中心に両側に４５°の広がりをもち、半径が移動速度に比例して設定される距離（例えば、移動速度が、１０（ｋｍ／時）である場合には、１０（ｋｍ）の半径）である扇型形状の範囲内を店舗抽出部１１４が抽出する対象として設定するものである。
【００４９】
店舗抽出部１１４（店舗抽出手段に相当する）は、携帯電話機２を介して、ユーザが情報の提供を求めているサービス（例えば、レストラン、居酒屋等）の種類を受け付けて、対応するサービスを提供する店舗であって、且つ、距離設定部１１３によって設定された所定距離内に、店舗位置情報に対応する所在地が存在している店舗の店舗評価情報及び店舗名称情報を、地図情報に基づいて店舗記憶部１２２から抽出するものである。例えば、店舗抽出部１１４は、ユーザが情報の提供を求めているサービスを提供する店舗であって、且つ、距離設定部１１３によって設定された扇型形状の範囲内に、店舗位置情報に対応する所在地が存在している店舗の店舗評価情報及び店舗名称情報を、地図情報に基づいて店舗記憶部１２２から抽出するものである。
【００５０】
なお、店舗抽出部１１４が、携帯電話機２を介して、ユーザが情報の提供を求めているサービス（例えば、レストラン、居酒屋等）の種類を受け付けて、対応するサービスを提供する店舗であって、且つ、位置取得部１１１によって取得された端末位置情報に対応する位置が含まれる市町村内に、店舗位置情報に対応する所在地が存在している店舗の店舗評価情報、店舗名称情報及び店舗位置情報を、地図情報に基づいて店舗記憶部１２２から抽出する形態でもよい（図５に示すフローチャートは、この形態である場合のものである）。
【００５１】
店舗案内受付部１１５（店舗案内受付手段に相当する）は、携帯電話機２を介して、店舗抽出部１１４によって抽出された店舗の中から１の店舗を選択する選択入力、及び、店舗を案内する案内情報を送信する旨の指示入力を受け付けるものである。具体的には、店舗案内受付部１１５は、店舗抽出部１１４によって抽出された店舗の店舗名称等を携帯電話機２のディスプレイ２２に選択可能に表示させ、ユーザからの選択入力、及び、店舗を案内する案内情報を送信する旨の指示入力を受け付けるものである（図６（ｂ）参照）。
【００５２】
情報送信部１１６（情報送信手段に相当する）は、店舗抽出部１１４によって抽出された店舗評価情報（店舗情報生成部１１７によって生成されるランキング情報を含む）、店舗名称情報及び店舗位置情報を、携帯電話機２に送信するものである（図６（ｂ）、（ｃ）参照）。また、情報送信部１１６は、店舗案内受付部１１５によって受け付けられた店舗に対応するリンク情報を店舗記憶部１２２から読み出すと共に、読み出されたリンク情報に対応する店舗案内サーバ装置３から当該店舗に対応する案内情報を取得して、取得された案内情報を携帯電話機２に送信するものである（図６（ｄ）参照）。
【００５３】
店舗情報生成部１１７（店舗情報生成手段に相当する）は、携帯電話機２を介して、ユーザからの操作入力を受け付け、受け付けられた操作入力に基づいて店舗評価情報を生成し、生成された店舗評価情報を店舗記憶部１２２に店舗名称情報と対応付けて格納するものである。具体的には、店舗情報生成部１１７は、店舗抽出部１１４によって抽出された店舗の中から１の店舗を選択する選択入力を受け付けると共に、１の店舗を利用した経験に基づく肯定的な情報である投稿情報を受け付け、受け付けられた投稿情報に基づいて、店舗評価情報を生成するものである。
【００５４】
また、店舗情報生成部１１７は、店舗抽出部１１４によって抽出された店舗について、投稿情報の件数に基づいてランキング情報を生成し、生成されたランキング情報を店舗評価情報として店舗記憶部１２２に店舗名称情報と対応付けて格納する。具体的には、店舗情報生成部１１７は、店舗抽出部１１４によって抽出された店舗について、投稿情報の件数の多い順に順番号が付与され、付与された順番号情報をランキング情報とするものである。
【００５５】
集計部１１８（集計手段に相当する）は、店舗情報生成部１１７によって、投稿情報が受け付けられる度に、店舗記憶部１２２に格納された投稿情報の件数を、店舗毎に集計するものである。地図記憶部１２１（地図記憶手段に相当する）は、日本地図の地図情報を格納するものである。
【００５６】
店舗記憶部１２２（店舗記憶手段に相当する）は、サービスを提供する店舗毎に、各店舗に対する利用者の評価に関する情報である店舗評価情報（店舗情報生成部１１７によって生成されるランキング情報を含む）及び店舗名称情報を、各店舗の所在地を示す店舗位置情報と対応付けて格納するものである。
【００５７】
図５は、本発明に係るメインサーバ装置１（主にＣＰＵ１１）の動作の一例を説明するフローチャートである。なお、ここでは、店舗記憶部１２２に、予め、店舗評価情報（店舗情報生成部１１７によって生成されるランキング情報を含む）及び店舗名称情報が、各店舗の所在地を示す店舗位置情報と対応付けて格納されている場合について説明する。
【００５８】
また、ここでは、便宜上、店舗抽出部１１４が、携帯電話機２を介して、ユーザが情報の提供を求めているサービス（例えば、レストラン、居酒屋等）の種類を受け付けて、対応するサービスを提供する店舗であって、且つ、位置取得部１１１によって取得された端末位置情報に対応する位置が含まれる市町村内に、店舗位置情報に対応する所在地が存在している店舗の店舗評価情報及び店舗名称情報を、地図情報に基づいて店舗記憶部１２２から抽出する場合について説明する。
【００５９】
まず、位置取得部１１１によって、携帯電話機２からアクセスが有ったか否かが判定される（Ｓ１０１）。アクセスが無かった場合には（Ｓ１０１でＮＯ）には、処理が待機状態とされる。アクセスが有った場合には（Ｓ１０１でＹＥＳ）には、位置取得部１１１によって、アクセスの有った携帯電話機２から端末位置情報が取得される（Ｓ１０３）。店舗抽出部１１４によって、携帯電話機２を介して、ユーザが情報の提供を求めているサービス（例えば、レストラン、居酒屋等）の種類（ここでは、「項目選択」という）が受け付けられたか否かの判定が行われる（Ｓ１０５）。項目選択が受け付けられていないと判定された場合には（Ｓ１０５でＮＯ）には、店舗抽出部１１４によって、携帯電話機２を介して、処理を終了する操作入力が受け付けられたか否かの判定が行われる（Ｓ１０９）。
【００６０】
処理を終了する操作入力が受け付けられたと判定された場合（Ｓ１０９でＹＥＳ）には、処理が終了される。処理を終了する操作入力が受け付けられていないと判定された場合（Ｓ１０９でＮＯ）には、処理がステップＳ１０５に戻され、ステップＳ１０５以降の処理が繰り返し実行される。ステップＳ１０５において、項目選択が受け付けられたと判定された場合（Ｓ１０５でＹＥＳ）には、店舗抽出部１１４によって、ステップＳ１０５で受け付けられたサービスを提供する店舗であって、且つ、ステップＳ１０３において取得された端末位置情報に対応する位置が含まれる市町村内に、店舗位置情報に対応する所在地が存在している店舗の店舗評価情報（ランキング情報を含む）及び店舗名称情報が、地図情報に基づいて店舗記憶部１２２から抽出される（Ｓ１０７）。そして、情報送信部１１６によって、ステップＳ１０７において抽出された店舗名称情報及びランキング情報が携帯電話機２に送信される（Ｓ１１１）。
【００６１】
次に、店舗案内受付部１１５によって、携帯電話機２から、ステップＳ１０７において抽出された店舗の中から１の店舗を選択する選択入力、及び、店舗を案内する案内情報を送信する旨の指示入力が受け付けられたか否かの判定が行われる（Ｓ１１３）。指示入力が受け付けられていないと判定された場合（Ｓ１１３でＮＯ）には、情報送信部１１６によって、携帯電話機２から、店舗評価情報を送信する旨の指示入力が受け付けられたか否かの判定が行われる（Ｓ１１５）。指示入力が受け付けられていないと判定された場合（Ｓ１１５でＮＯ）には、店舗抽出部１１４によって、携帯電話機２から、処理を項目選択まで戻らせる旨の指示入力が受け付けられたか否かの判定が行われる（Ｓ１１７）。指示入力が受け付けられていないと判定された場合（Ｓ１１７でＮＯ）には、処理がステップＳ１１３に戻され、ステップＳ１１３以降の処理が繰り返し実行される。指示入力が受け付けたと判定された場合（Ｓ１１７でＹＥＳ）には、処理がステップＳ１０５に戻され、ステップＳ１０５以降の処理が繰り返し実行される。
【００６２】
ステップＳ１１５において、店舗評価情報を送信する旨の指示入力が受け付けられたと判定された場合（Ｓ１１５でＹＥＳ）には、情報送信部１１６によって、ステップＳ１０７において抽出された店舗評価情報が携帯電話機２に送信される（Ｓ１１９）。そして、店舗抽出部１１４によって、携帯電話機２から、処理を項目選択まで戻らせる旨の指示入力が受け付けられたか否かの判定が行われる（Ｓ１２１）。指示入力が受け付けられたと判定された場合（Ｓ１２１でＹＥＳ）には、処理がステップＳ１１３に戻され、ステップ１１３以降の処理が繰り返し実行される。指示入力が受け付けられていないと判定された場合（Ｓ１２１でＮＯ）には、店舗抽出部１１４によって、携帯電話機２を介して、処理を終了する操作入力が受け付けられたか否かの判定が行われる（Ｓ１２３）。処理を終了する操作入力が受け付けられたと判定された場合（Ｓ１２３でＹＥＳ）には、処理が終了される。処理を終了する操作入力が受け付けられていないと判定された場合（Ｓ１２３でＮＯ）には、処理がステップＳ１２１に戻され、ステップＳ１２１以降の処理が繰り返し実行される。
【００６３】
ステップＳ１１３において店舗を案内する案内情報を送信する旨の指示入力が受け付けられたと判定された場合（Ｓ１１３でＹＥＳ）には、情報送信部１１６によって、店舗案内受付部１１５によって受け付けられた店舗に対応するリンク情報が店舗記憶部１２２から読み出されて、読み出されたリンク情報に対応する店舗案内サーバ装置３から当該店舗に対応する案内情報が取得される（Ｓ１２５）。そして、情報送信部１１６によって、ステップＳ１２５において取得された案内情報が携帯電話機２に送信される（Ｓ１２７）。
【００６４】
次に、店舗抽出部１１４によって、携帯電話機２から、処理を項目選択まで戻らせる旨の指示入力が受け付けられたか否かの判定が行われる（Ｓ１２９）。指示入力が受け付けられたと判定された場合（Ｓ１２９でＹＥＳ）には、処理がステップＳ１１３に戻され、ステップ１１３以降の処理が繰り返し実行される。指示入力が受け付けられていないと判定された場合（Ｓ１２９でＮＯ）には、店舗抽出部１１４によって、携帯電話機２を介して、処理を終了する操作入力が受け付けられたか否かの判定が行われる（Ｓ１３１）。処理を終了する操作入力が受け付けられたと判定された場合（Ｓ１３１でＹＥＳ）には、処理が終了される。処理を終了する操作入力が受け付けられていないと判定された場合（Ｓ１３１でＮＯ）には、処理がステップＳ１２９に戻され、ステップＳ１２９以降の処理が繰り返し実行される。
【００６５】
図６は、図５に示すフローチャートのステップＳ１０５、Ｓ１１１、Ｓ１１９、Ｓ１２７において、それぞれ、携帯電話機２のディスプレイ２２に表示される画面の一例を示す画面図である。（ａ）は、図５に示すフローチャートのステップＳ１０５において、携帯電話機２のディスプレイ２２に表示される選択画面の画面図である。選択画面３１には、画面上部に、位置取得部１１１によって取得された端末位置情報に対応する位置が含まれる市町村名を示す市町村名表示部３１１が表示され、市町村名表示部３１１の下側に、サービス（例えば、レストラン、居酒屋等）の種類を選択する項目を表示する項目表示部３１２、３１３が表示されている。更に、選択画面３１には、項目表示部３１２の右側に、選択状態にある項目を示す選択マーク３１４が表示されている。項目表示部３１２の下側には、小項目を表示する小項目表示部３１２ａ〜３１２ｇが表示され、項目表示部３１３の下側には、小項目を表示する小項目表示部３１３ａ〜３１３ｃが表示されている。
【００６６】
ユーザは、選択画面３１に表示された選択マーク３１４を、携帯電話機２の入力部２１に配設された方向キーを押下することにより移動させ、所望する小項目（ここでは、小項目表示部３１２ａ〜３１２ｇ、及び、小項目表示部３１３ａ〜３１３ｃのいずれか）の位置に選択マーク３１４が位置した状態で決定キーを押下することにより、サービスの種類を選択することができる。
【００６７】
（ｂ）は、図５に示すフローチャートのステップＳ１１１において、携帯電話機２のディスプレイ２２に表示されるランキング表示画面の画面図である。ランキング表示画面３２には、画面上部に、選択画面３１において選択された項目名を表示する項目名表示部３２１、及び、小項目名を表示する小項目名表示部３２２が表示されている。また、ランキング表示画面３２には、小項目名表示部３２２の下側に、ランキング情報を表示するランキング表示部３２３が表示されている。更に、ランキング表示画面３２には、ランキング表示部３２３の右側に、選択状態にある店舗を示す選択マーク３２４が表示されている。また、ランキング表示画面３２には、画面下部に、投稿情報をメインサーバ装置１に送信する場合に押下される投稿選択部３２５が表示されている。
【００６８】
ユーザは、ランキング表示画面３２に表示された選択マーク３２４を、携帯電話機２の入力部２１に配設された方向キーを押下することにより移動させ、ランキング表示部３２３に表示された店舗の位置に選択マーク３１４が位置した状態で決定キーを押下することにより、選択された店舗の投稿情報を表示させることができる。
【００６９】
（ｃ）は、図５に示すフローチャートのステップＳ１１９において、携帯電話機２のディスプレイ２２に表示される投稿情報表示画面の画面図である。投稿情報表示画面３３には、画面上部に、ランキング表示画面３２において選択された店舗の店舗名称が表示される店舗名称表示部３３１が表示され、店舗名称表示部３３１の下側に、投稿情報を表示する投稿情報表示部３３２、３３３が表示されている。また、投稿情報表示画面３３には、画面下部に、投稿情報をメインサーバ装置１に送信する場合に押下される投稿選択部３２５が表示されている。
【００７０】
（ｄ）は、図５に示すフローチャートのステップＳ１２７において、携帯電話機２のディスプレイ２２に表示される店舗案内表示画面の画面図である。店舗案内表示画面３４には、画面上部に、ランキング表示画面３２において選択された店舗の店舗名称が表示される店舗名称表示部３４１が表示され、店舗名称表示部３４１の下側に、店舗案内情報を表示する店舗案内表示部３４２が表示されている。また、店舗案内表示部３４２の下側に、更に店舗案内情報を表示させる場合に押下される追加情報表示部３４３〜３４５が表示されている。
【００７１】
このようにして、１の携帯電話機２の位置情報である端末位置情報に対応する位置から予め設定された所定範囲内に、所在地が存在している店舗に対する利用者の評価に関する情報である店舗評価情報及び店舗名称情報が、地図情報に基づいて抽出され、抽出された店舗評価情報及び店舗名称情報が、前記１の携帯電話機２に送信されるため、サービスを提供する店舗に関してユーザが求めている情報を提供することができる。
【００７２】
すなわち、サービスを提供する店舗から発信される情報は、利用者にとって偏った情報である場合があるため、利用者の側から発信される店舗の評価に関する情報である店舗評価情報が提供されるので、サービスを提供する店舗に関してユーザが求めている情報を提供することができるのである。また、ユーザの携帯する携帯電話機２から取得された現在位置から所定範囲内に有る店舗についての店舗評価情報が提供されるので、サービスを提供する店舗に関してユーザが求めている情報を提供することができるのである。
【００７３】
また、１の携帯電話機２の位置情報である端末位置情報に対応する位置から予め設定された所定範囲内に、所在地が存在している店舗に対する店舗位置情報が、地図情報に基づいて抽出され、抽出された店舗位置情報が、前記１の携帯電話機２に送信されるため、サービスを提供する店舗に関してユーザが求めている情報を更に的確に提供することができる。
【００７４】
更に、１の携帯電話機２の位置情報である端末位置情報に対応する位置が含まれる地域内に、所在地が存在している店舗の店舗評価情報及び店舗名称情報が、地図情報に基づいて抽出されて提供されるため、サービスを提供する店舗に関してユーザが求めている情報を更に的確に提供することができる。
【００７５】
加えて、１の携帯電話機２の位置情報である端末位置情報に対応する位置から予め設定された所定距離内に、所在地が存在している店舗の店舗評価情報及び店舗名称情報が、地図情報に基づいて抽出されて提供されるため、サービスを提供する店舗に関してユーザが求めている情報を更に的確に提供することができる。
【００７６】
また、予め設定された時間毎（ここでは、５秒毎）に端末位置情報が取得され、取得された複数の端末位置情報に基づいて１の携帯電話機２の移動方向及び移動速度の少なくとも一方が求められる。そして、前記１の携帯電話機２の移動方向及び移動速度の少なくとも一方に基づいて、抽出する対象を規定する所定距離が求められる。更に、設定された所定距離内に、所在地が存在している店舗の店舗評価情報及び店舗名称情報が、地図情報に基づいて抽出されて提供されるため、サービスを提供する店舗に関してユーザが求めている情報を更に的確に提供することができる。
【００７７】
すなわち、例えば、１の携帯電話機２の移動方向については、移動速度が速い程、抽出する対象を規定する所定距離を大きく設定すると、ユーザが所定時間（例えば、１０分）以内に到達可能な店舗に関する店舗評価情報及び店舗名称情報を提供することが可能となるため、サービスを提供する店舗に関してユーザが求めている情報を更に的確に提供することができるのである。
【００７８】
更に、携帯電話機２を介して、外部からの操作入力が受け付けられ、受け付けられた操作入力に基づいて店舗評価情報が生成されるため、店舗評価情報が逐次更新されるので、サービスを提供する店舗に関してユーザが求めている情報を更に的確に提供することができる。
【００７９】
加えて、携帯電話機２を介して、抽出された店舗の中から１の店舗を選択する選択入力が受け付けられると共に、選択された店舗を利用した経験に基づく肯定的な情報である投稿情報を受け付けられ、受け付けられた投稿情報に基づいて、店舗評価情報が生成されるため、容易に且つ的確に店舗評価情報が生成されるので、サービスを提供する店舗に関してユーザが求めている情報を更に的確に提供することができる。
【００８０】
また、店舗を利用した経験に基づく肯定的な情報である投稿情報の件数に基づいてランキング情報が生成され、生成されたランキング情報が提供されるため、サービスを提供する店舗に関してユーザが求めている情報を更に的確に提供することができる。
【００８１】
更に、１の店舗に対応するリンク情報が読み出されると共に、リンク情報に対応する案内情報が読み出されて、読み出された案内情報が携帯電話機２に送信されるため、サービスを提供する店舗に関してユーザが求めている情報を更に的確に提供することができる。
【００８２】
なお、本発明は、以下の形態にも適用可能である。
【００８３】
（Ａ）本実施形態では、移動体通信端末装置が、携帯電話機２である場合について説明するが、通信装置と無線通信を介して通信可能に接続されたＰＡＤ（Ｐｅｒｓｏｎａｌ  Ｄｉｇｉｔａｌ  Ａｓｓｉｓｔａｎｔｓ）等の他の形態の移動体通信端末装置でもよい。移動体通信端末装置が、例えば、車両に搭載されるナビゲーション装置等である形態でもよい。
【００８４】
この場合には、移動速度が速いため、店舗抽出部１１４が、距離設定部１１３によって設定された所定距離内に、店舗位置情報に対応する所在地が存在している店舗の店舗評価情報及び店舗名称情報を、地図情報に基づいて店舗記憶部１２２から抽出する形態であることが好ましい。すなわち、店舗抽出部１１４が、移動算出部１１２によって求められた移動方向及び移動速度に基づいて情報を抽出する形態であることが好ましい。この場合には、車両の進行方向にある広範囲の店舗に関する情報が提供される。
【００８５】
（Ｂ）本実施形態では、店舗情報生成部１１７が、１の店舗を利用した経験に基づく肯定的な情報を受け付ける場合について説明したが、店舗情報生成部１１７が、１の店舗を利用した経験に基づく否定的な情報を受け付ける形態でもよいし、１の店舗を利用した経験に基づく否定的な情報及び肯定的な情報を受け付ける形態でもよい。
【００８６】
（Ｃ）本実施形態では、メインサーバ装置１（情報送信部１１６）が店舗案内サーバ装置３から店舗に対応する案内情報を取得する場合について説明したが、メインサーバ装置１が店舗の案内情報を格納しており、案内情報を読み出す形態でもよい。この場合には、処理が簡略化される。
【図面の簡単な説明】
【００８７】
【図１】は、本発明に係るサーバ装置の接続状態の一例を示す構成図である。
【図２】は、メインサーバ装置及び店舗案内サーバ装置の構成の一例を示す構成図である。
【図３】は、携帯電話機の構成の一例を示す構成図である。
【図４】は、本発明に係るメインサーバ装置のＣＰＵ、ＲＡＭの機能構成の一例を示す構成図である。
【図５】は、本発明に係るメインサーバ装置（主にＣＰＵ）の動作の一例を説明するフローチャートである。
【図６】は、図５に示すフローチャートのステップＳ１０５、Ｓ１１１、Ｓ１１９、Ｓ１２７において、それぞれ、携帯電話機のディスプレイに表示される画面の一例を示す画面図である。
【符号の説明】
【００８８】
１    メインサーバ装置（サーバ装置）
１１    ＣＰＵ
１１１    位置取得部（位置取得手段）
１１２    移動算出部（移動算出手段）
１１３    距離設定部（距離設定手段）
１１４    店舗抽出部（店舗抽出手段）
１１５    店舗案内受付部（店舗案内受付手段）
１１６    情報送信部（情報送信手段）
１１７    店舗情報生成部（店舗情報生成手段）
１１８    集計部（集計手段）
１２    ＲＡＭ
１２１    地図記憶部（地図記憶手段）
１２２    店舗記憶部（店舗記憶手段）
２    携帯電話機（移動体通信端末装置）
３    店舗案内サーバ装置
【図１】
2008040922.tif 000003
【図２】
2008040922.tif 000004
【図３】
2008040922.tif 000005
【図４】
2008040922.tif 000006
【図５】
2008040922.tif 000007
【図６】
2008040922.tif 000008